(57)【特許請求の範囲】
【請求項１】
ブラケットと、このブラケットに支持される棚板部と、この棚板部と前記ブラケットとの係合手段と、を有する棚構造であって、
前記係合手段は、前記ブラケットの前記棚板部に対する係合位置が前記棚板部の横幅方向の無段階の任意な位置での係合が可能であり、
さらに、棚板部の裏面に設けられると共にブラケットと係合する横幅方向に延びる係合溝を有し、
ブラケットは、このブラケットの頂部に水平板状の係合翼部を有し、この係合翼部と係合溝とが係合されることを特徴とする棚構造。
【請求項２】
棚板部が、ブラケットに支持される固定棚板部と、この固定棚板部に対してスライドするスライド棚板部と、このスライド棚板部と前記固定棚板部との間に介在して前記スライド棚板部のスライドを可能にするスライド手段とを有することを特徴とする請求項１に記載の棚構造。
【請求項３】
スライド棚板部が、このスライド棚板部の両側に垂下させた脚部を備えると共に、固定棚板部が両側の前記脚部の間に位置するように配置され、
スライド手段は、前記固定棚板部の前記側部と前記スライド棚板部の前記脚部との横幅方向間に介在させたことを特徴とする請求項２記載の棚構造。
【発明の詳細な説明】
【技術分野】
【０００１】
商品などを陳列する棚構造の改良に関する。
【背景技術】
【０００２】
一般に商品を陳列する棚は、は図１９に示す様に、棚の支柱１００にブラケット１０を取り付け、このブラケット１０に棚板２００を支持させている。棚板２００は多くの場合は、図２０に示す様に、スチィール板などによる断面Ｕ字状、或いは断面Ｖ字状の梁部材２０１が、棚板２００の天板２０２裏面に設けられていて、棚板２００の強度を得ている。
【０００３】
またブラケット１０は、一例として、棚板の天板２０２裏面に直接宛がって支持させてあり、具体的には棚板２００の左右端の裏面を支持させている。この場合、裏面に突き出た状態の梁部材２０１はブラケット１０を宛がう邪魔になるのであり、よって図２１に示す様に、梁部材２０１の両端は棚板２００の横幅よりは僅かに短くして、棚板２００の両端の僅かな区間だけは梁部材２０１の無い状態にしてあり、ここがブラケット１０を宛がう箇所となっている。棚板２００はその周囲四辺から垂下した状態の側部２０３を有しているが、棚板後方の側部２０３ａは、ブラケット１０に対応する箇所にブラケット用の溝を切り欠き（図示せず）、この溝にブラケット１０を入れる様にして棚板２００の裏面に宛がっている。この溝は、ブラケット１０の左右へのガタつきを抑制するのにも役だっている。
【０００４】
この様な棚板は、その左右幅がブラケットの間隔にもなり、また支柱の間隔にもなる。つまり支柱の間隔は棚板の左右幅を規定することとなっているのであるが、この支柱の間隔は、メーカー毎に異なっていることがある。また棚がメータモジュールであったり、インチモジュールであったりすれば、幅に関する互換性はないのが通常である。よって棚板を、既設の他メーカーの支柱やこれに設けてあるブラケットに組み合わせようとしても、合わないことが多い。
【０００５】
（スライド式の棚）：また棚には、棚板を前方にスライドさせて引き出せる様になっているものがある。棚の奥への商品の陳列を容易にする等の理由でこの様なスライド式の棚を設けているのである（特許文献１参照）。
【０００６】
この様なスライド式の棚は、例えば棚板を透視して示した図２２の様に、棚板２００を支持する左右のブラケット１０の外側面にスライドレール２１０を取り付け、このスライドレール付きのブラケット１０を、棚板２００の両側に接合させるのであり、これによりスライド式の棚が可能になっている。この場合、棚板２００へのスライドレール２１０の接合位置が決まると、左右のブラケット１０の間隔はこの間隔に規定される。スライドレールはブラケットの内側に設ける場合もある。
【０００７】
またブラケット間隔の問題とは別に、この様なスライド式の棚は、左右のブラケット１０がぐらつく問題がある。スライド式でない一般的な棚の場合、棚板が左右のブラケットに固定的に架け渡された状態になるので、棚板がブラケットに対する筋交いになり、つまりブラケットのぐらつきを固定する固定部材の役割を果たすこととなっている。しかしスライド式の棚の場合、棚板を前方にスライドさせたときには、ブラケット間は筋交いとなる棚板のない状態となり、その分、ブラケットに対する固定部材の役割を果たしにくい。その為、ブラケット間には図２２に示されている様な、「引っ張り」と通称されている長尺部材２０４を架け渡し、ぐらつきを抑制している。それでも、前方に棚板２００をスライドさせた場合には、棚板の先端２００とブラケット基端との距離Ｌが大きくなり、引き出された棚板による揺れなどは、引き出されていないときよりも大きく作用してしまう。また商品を陳列させてある棚板の重心も、引き出した分、ブラケットの基端（つまり支柱）から離れているので、この点でもぐらつきが大きくなり易い。
【０００８】
（棚板などの厚）：また更に、スライド式の棚は、図２２の様にスライドレール２０１をブラケット１０と棚板２００の側部とを横並びに接合する場合はよいが、仮にブラケットの１０上にスライドレールとスライドする棚板とを上重ね的に接合すると、上下厚の大きな棚板になってしまう。スライド式の棚に限らず、棚は一般に、棚板の厚みが厚過ぎないのがよく、また棚板とブラケットを合わせた上下厚も、余り大きくないのが良いとされている。これが大きいと棚の棚板数に制約が加わることとなり、また棚板の上方空間が狭くなり陳列効果に好ましく無いなどするからである。
【０００９】
（壁への棚）：また棚板は、店舗内の壁に直接設けられる場合もある。壁面にブラケット用の支柱を埋め込むなどし、これにブラケットを取り付け、棚板を設けるのである。例えばガラス板による棚板を用いることも多く、この場合はガラス板をブラケットに単に載置するだけである。又この場合、ブラケットの宛がい位置は、ガラス板の両端ではなくある程度中程の箇所となっている。
【特許文献１】特開２００２−２７２５６８号公報
【発明の開示】
【発明が解決しようとする課題】
【００１０】
壁に直接設ける棚は、当初予定した棚板を備える様になっていて、多くの場合はガラス板による棚板である。通常の什器としての棚は、その後に必要であれば他の棚と入れ替えればよいが、壁に支柱などの取り付け箇所を備えてある場合は、壁の改装になってしまうので、簡単には入れ替えができない。
また壁に備える棚は、設置当初の棚板と異なる棚板に入れ替える場合、ブラケット間隔が定まっているので、これに合わなければ取り付けられないし、合わないことが多いのである。ガラス板の棚板は、両端ではなく中程をブラケットで支持している場合が多く、一方スチィール製棚板は両端を支持するので、この点でもブラケット幅の合わない確率が一層高くなっている。しかしこの様な場合でも、既設の壁用棚に、当初の棚板に替えて別の棚板を設けることへの要望はある。
【００１１】
またスライド式の棚は、ブラケットと棚板がスライドレールを介して接合するので、左右のブラケットの間隔が、棚板への接合箇所の間隔に規定されている。従って、この規定された間隔と異なるブラケット間隔つまり支柱間隔の取り付け箇所へは、そのスライド式棚を取り付けることができない。
【００１２】
またスライド式の棚は、スライド手段を有していても上下厚の大きくないものがよい。また更に、スライド式の棚であっても、ぐらつきの抑制されたものがよい。
【００１３】
以上の課題を鑑み、本願発明の目的とするところは、ブラケットの間隔が自由に選べ、スライド式であってもぐらつきが無く、上下厚も抑えられる棚構造を提供することにある。
【課題を解決するための手段】
【００１４】
以上の課題を解決するため本願請求項１記載の棚構造の発明は、ブラケットと、このブラケットに支持される棚板部と、この棚板部と前記ブラケットとの係合手段と、を有する棚構造であって、前記係合手段は、前記ブラケットの前記棚板部に対する係合位置が前記棚板部の横幅方向の任意な位置での係合が可能であることを特徴とする。
【００１５】
請求項１記載の発明は、係合位置が横幅方向に無段階な位置であることを特徴とする。
【００１６】
請求項１記載の発明は、係合手段が、棚板部の裏面に設けられると共にブラケットと係合する横幅方向の係合部を有することを特徴とする。
【００１７】
請求項１記載の発明は、ブラケットは、このブラケットの頂部に水平板状の係合翼部を有し、この係合翼部と係合部とが係合されることを特徴とする。
【００１８】
請求項２記載の発明は、請求項１に記載の発明において、棚板部が、ブラケットに支持される固定棚板部と、この固定棚板部に対してスライドするスライド棚板部と、このスライド棚板部と前記固定棚板部との間に介在して前記スライド棚板部のスライドを可能にするスライド手段とを有することを特徴とする。
【００１９】
請求項３記載の発明は、請求項２記載の発明において、スライド棚板部が、このスライド棚板部の両側に垂下させた脚部を備えると共に、固定棚板部が両側の前記脚部の間に位置するように配置され、スライド手段は、前記固定棚板部の前記側部と前記スライド棚板部の前記脚部との横幅方向間に介在させたことを特徴とする請求項５記載の棚構造。
【００２０】
本発明は、ブラケットと、このブラケットに支持される棚板と、を有する棚構造であって、前記棚板が、前記ブラケットに支持される固定棚部と、この固定棚部に対してスライドするスライド棚部と、このスライド棚部と前記固定棚部との間に介在してスライド棚部のスライドを可能にするスライド手段とを有することを特徴とする。
【００２１】
本発明は、スライド棚板部が、このスライド棚板部の両側に垂下させた脚部を備えると共に、固定棚板部が両側の前記脚部の間に位置するように配置され、スライド手段は、前記固定棚板部の前記側部と前記スライド棚板部の前記脚部との横幅方向間に介在させたことを特徴とする。
【発明の効果】
【００２２】
本願請求項１記載の発明によれば、棚板に対するブラケットの横幅方向の任意な位置での係合ができるので、支柱などに取り付けるブラケットの幅が様々であっても棚板の取り付けが可能になる。
【００２３】
請求項１記載の発明によれば、ブラケット幅が無段階に調整できるので、どの様な取り付け場所であっても広く棚板の取り付けが可能になる。
【００２４】
請求項１記載の発明によれば、係合の具体的手段を提供している。
【００２５】
請求項２記載の発明によれば、ブラケットとスライド手段とが直接には接合していないので、スライド手段を有しながらもブラケット幅を調整できる。また固定棚板部が平面視したときのブラケット同士に対する筋交いになり、ぐらつきが抑制される。
【００２６】
請求項３記載の発明によれば、棚板の上下厚が抑えられる。
【発明を実施するための最良の形態】
【００２７】
次に、本願発明の実施例を図を持って説明する。
図１に示すのは、支柱１００のスリット１０１に挿して取り付けたブラケット１０と、固定棚板部２０とスライド棚板部３０と、これらの間に介在させたスライド手段としてのスライドレール４０とによる棚板部２を、正面から見た棚構造１の図である。図２は、図１の棚構造１を右側面から見た図であり、また図３は平面から見た図であり、共に支柱は省略してある。図４は、棚板部２のみの斜視図である。
【００２８】
固定棚板部２０は、図５に示す断面構造をしており、図の左が棚の前方側である。この固定棚板部２０の裏面側には、前方と後方とに、屈曲させたスチィール板２１を取り付けて形成した係合部としての係合溝２２が、図６に示す様に横幅方向に設けられている。この係合溝２２は、下記に述べるブラケット１０を係合させるための溝である。この固定棚部２０は、前面の中央に鍵穴２３が設けられており、これに挿した鍵の操作により、後述するスライド棚板部３０をロックしてスライドさせないようにできるのである。これは図５に示されている、鍵操作されるロック片２４が、図２に示されている様にスライド棚板部の裏面に設けられているロック用係止片３１に係止して、スライド棚板部３０がロックされるものである。
【００２９】
ブラケット１０は図７に示す形状であり、固定棚板部２０の前後長に対応した長さのスチィール板を、この前後方向の折れ目で直角に屈曲されており、折れ目を境にした一方が、通常のブラケットと同様の形状のブラケット本体１１となっている。ブラケット本体１１の基端には、支柱１００のスリット１０１に挿して取り付ける取付片１２が３つ形成されており、支柱１００に取り付け時には、ブラケット本体１１は長手を棚の前後方向に向けた垂直姿勢をとる。また折れ目を境にした他方は水平姿勢をとる係合翼部１３をなしていて、固定棚板部２０の裏面と平行になって係合溝２２に宛がわれる様になっている。この係合翼部１３は、前後２箇所に凹部１４が設けられていて、固定棚板部２０との係合に用いられる。この凹部１４は、凹部開口１４ａが内方の凹部孔１４ｂよりも狭く形成されていて、次に述べるボルト５１の軸の太さに対応させてある。
【００３０】
この係合には、図８に示す様なボルト５１と長手なナット５２による係合部材５０を用いるのであり、図９に示す様に、ボルト５１の頭部５３を係合翼部１３の凹部１４に係示させ、ナット５２を固定棚板部２０の係合溝２２に係止させた状態でボルト５１を締めることにより、ブラケット１０と固定棚板部２０との係合がなされるのである。
このボルト５１はボルト軸５４の雄ネジを有する先端側５４ａと、これより太めで雄ネジを有しない基端側５４ｂとに形成されており、この細い基端側５４ａがブラケット１０の凹部開口１４ａを通すことのできる太さである。また太い基端側５４ｂは、凹部開口１４ａの通過はできないが凹部孔１４ｂは通すことができ太さに形成されている。
またナット５２の長手（図８(ｂ)参照）を係合溝２２内方の幅以上に形成しておけば、ボルト５１を締める時にナット５２の空回りを防ぐことができ、ボルト締めが確実に成される。またボルト５１を緩めた状態では、ブラケット１０は係止溝２２に沿って自由に摺動させることができ、これによりブラケット１０の位置決めが容易になされるのである。図１０は、ブラケット１０を固定棚板部２０の端部で係合させた図であり、図１１は、その端部より内方に位置させて係合させた図である。係合翼部１３は、ボルト用の凹部１４の替わりにボルト孔にしてもよい。
【００３１】
スライド棚板部３０は、図４，１２に示す様に、前後には商品が落ちないための仕切３２が立設され、横幅中央の裏面には、１枚のスチィール板から屈曲形成させた、ロック用係止片３１と引き出し用の取手３３とが取り付けてある。また図１３
に示す様に、スライド棚板部３０の左右端には仕切３４が立設され、裏面にはＬ字に屈曲された脚部３５が、両端のそれぞれから垂下した状態に設けられている。この脚部３５は、固定棚板部２０の両方の側部２５を挟む様な配置となっていて、側部２５と脚部３５とは、これらの間に設けられた次に述べるスライドレール４０を介して接合されている。
【００３２】
スライド手段としてのスライドレール４０は、図１４に示すように、断面が入れ子になった一対のレール体４１、４２を有し、これら２本のレール体がボールベアリング４３でスライドし合うようになっている。そして、外側のレール体４１が固定棚板部２０に、内側のレール体４２がスライド棚板部２０に取り付けられている。そしてこのスライドレール４０が、固定棚板部２０の側部２５とスライド棚板部３０の脚部３５との間に介在した状態で、これらに接合させている。また側部２５とスライドレール４０と脚部３５とは横並びに接合しているので、これらを上下方向に接合させる場合にくらべて上下厚が少なくて済む。
【００３３】
次に、以上に述べた棚構造の実施例の使用方法を説明する。
まずこの棚構造１の組立であるが、最初にブラケット１０を、取り付け対象となる支柱１００のスリット１０１に挿して取り付ける。支柱１００は壁に埋め込まれて設置してある場合もある。
【００３４】
次に、固定棚板部２０の裏面の係合溝２２に、係合部材５０を仮止めしておく。具体的には、ボルト５１にナット５２を螺合させておき、ナット５２を係合溝２２の中に入れた状態で係合部材５０を仮止めしておくのである。この時、ボルト５１はナット５２に浅く挿した状態で螺合させておくのである。こうする事により、係合溝２２に仮締めしたボルト５１は、固定棚板部２０の下面に垂れた状態となる。
【００３５】
このボルト・ナット付きの棚板部２０を、支柱１００に取り付けて準備してあるブラケット１０の上に載せ、垂れたボルト５１を係合溝２２に沿ってブラケット１０に寄せてくると、ボルト軸５４は先端側５４ａの細い部分がブラケット１０の凹部開口１４ａに対応するので、この凹部１４に入れることができる。この状態でボルト５１を締めると、ボルト軸基端側５４ｂの太い部分が凹部孔１４ｂに入ってくるので、ボルト５１がブラケット１０の凹部１４から外れない状態となるのである。この状態で、一端ボルト５１を仮止めし、左右にぶれるブラケット１０の向きを整えたらボルト５１を本締めし、これにより図９に示す様に棚板部２（の固定棚板部２０）とブラケット１０との係合が完了するのである。
【００３６】
又この棚構造１のスライド棚板部２０は、通常は前面の鍵によりロックして、スライドできない様にしてある。スライドさせるのは、店員による商品の補充の為であり、前方にスライドさせることにより、棚の後方にも商品が陳列し易くなるなどの理由があるからである。また最近は、少量ではなく大量商品の万引き被害に遭うことがあり、その為、陳列された商品を一段上の棚板で覆うような構成にして、一度に大量の盗難に合うことを防ぐ構造の棚が提供されている。この様な棚の場合には、商品補充は、前方にスライドさせた状態で行うことが一層必要となり、その為にも、鍵によるスライドの可不可の操作が必要なのである。ロックを外して前方にスライドさせたときには、図１５に示した様になる。
【００３７】
なお、棚板部２の横幅が大きい場合には、図１６に示す様に、ブラケット１０を３つ用いても良い。またこの様な横幅が大きな棚板部は、スライド棚板部の中央が中だるみした状態となり、下の固定棚板部に接触する場合がある。そのため、機械特性・自己潤滑性に優れているジュラコン樹脂などによる摺動レール２６を固定棚板部２０の上面に設け、この摺動レール２６にスライド棚板部３０が乗る状態で支持されてスライドできるので、たるみのない状態でのスライドが可能になるのである。
【００３８】
なおブラケットは、図１７に示す様な、係合翼部１３が左右に２つ有るものであってもよい。棚は横に何列かを連設する場合が多く、そのため支柱もブラケット用のスリットが、縦に２列設けられているのが普通である（図１参照）。つまり１つの支柱に２つのブラケットを横に隣接させた状態で取り付け、これにより支柱の右側と左側とに棚を設けるのが一般的である。その点、図１７に示し様なブラケット１０であれば、１つのブラケットで左右２つの棚板を支持することができる。即ちこの場合は、図１８に示す様なブラケット１０の用い方になる。
【００３９】
なお本願発明は上記実施例に限るものではなく、発明の趣旨を逸脱しない範囲でどの様に実施されてもよい。
【図面の簡単な説明】
【００４０】
【図１】この図は、実施例の棚構造の正面から見た図である。
【図２】この図は、棚構造の右側面から見た図である。
【図３】この図は、棚構造の平面から見た図である。
【図４】この図は、棚板部の斜視図である。
【図５】この図は、固定棚板部の断面構造を示す図である。
【図６】この図は、固定棚板部の裏面を示す切り欠き図であり、図の右側が前方である。
【図７】この図は、ブラケットの(ａ)正面図と、(ｂ)平面図と、(ｃ)左側面図である。
【図８】この図は、係合部材の図であり、(ａ)分解図と、(ｂ)ナットの平面図である。
【図９】この図は、係合部材により、固定棚板部とブラケットの係合を説明する図である。
【図１０】この図は、ブラケットを固定棚板部の端部に係合させた図である。
【図１１】この図は、ブラケットを固定棚板部の端部より内方に係合させた図である。
【図１２】この図は、スライド棚板部の説明図である。
【図１３】この図は、スライド棚板部の説明図である。
【図１４】この図は、固定棚板部とスライド棚板部とが、スライドレールを介して接合される様子の説明図である。
【図１５】この図は、スライド棚板部をスライドさせて引き出したときの棚板部の斜視図である。
【図１６】この図は、別の実施例の棚構造の図である。
【図１７】この図は、別のブラケットの図である。
【図１８】この図は、図１７のブラケットを持ちした別の実施例の図である。
【図１９】この図は、従来の棚の構造の例を示す図である。
【図２０】この図は、従来の棚板の裏面の構造例の図である。
【図２１】この図は、図１９の(ａ)Ｘ−Ｘ断面概要図と、(ｂ)Ｙ−Ｙ部分断面概要図である。
【図２２】この図は、従来のスライド式棚の図であり、棚板は透視して棚板の左右の構造を示している。
【符号の説明】
【００４１】
１  棚構造
２  棚板部
１０  ブラケット
１３  係合翼部
２０  固定棚板部
２２  係合部としての係合溝
２５  側部
３０  スライド棚板部
４０  スライド手段
５０  係合手段
１００  支柱
【図１】
0005368016.tif 000002
【図２】
0005368016.tif 000003
【図３】
0005368016.tif 000004
【図４】
0005368016.tif 000005
【図５】
0005368016.tif 000006
【図６】
0005368016.tif 000007
【図７】
0005368016.tif 000008
【図８】
0005368016.tif 000009
【図９】
0005368016.tif 000010
【図１０】
0005368016.tif 000011
【図１１】
0005368016.tif 000012
【図１２】
0005368016.tif 000013
【図１３】
0005368016.tif 000014
【図１４】
0005368016.tif 000015
【図１５】
0005368016.tif 000016
【図１６】
0005368016.tif 000017
【図１７】
0005368016.tif 000018
【図１８】
0005368016.tif 000019
【図１９】
0005368016.tif 000020
【図２０】
0005368016.tif 000021
【図２１】
0005368016.tif 000022
【図２２】
0005368016.tif 000023